(57)【要約】【課題】前側ハウジングを取り外す必要がなく、塵落としに伴うフィルタの内側への塵埃の侵入や吸引力の低下も防止して好適な塵落としを可能とする。【解決手段】クリーナ１において、フィルタユニット４のフィルタ２８内に、フィルタ２８を伸長姿勢に付勢するコイルバネ２９を設ける一方、フィルタ２８の前端に取付板３０を固着して当該取付板３０にワイヤ３８の一端を接続し、ワイヤ３８の他端をフィルタ２８内から本体ハウジング２内を通過させて後方外部に引き出し、ワイヤ３８の他端の引っ張り操作により、コイルバネ２９の付勢に抗して取付板３０を後退させてフィルタ２８を任意に収縮動作可能とした。【選択図】図１
2010259666.tif 000002
【特許請求の範囲】
【請求項１】
吸気ユニットを収容した本体ハウジングの前方に、吸込口を備えて内部に集塵室を形成する前側ハウジングを装着し、前記本体ハウジングに、前記吸気ユニットへの吸気口を塞いで前記前側ハウジング内へ突出する可撓性のフィルタを備えたクリーナであって、
前記フィルタ内に、前記フィルタを伸長姿勢に付勢する付勢手段を設ける一方、前記フィルタの前端に取付板を固着して当該取付板に線状体の一端を接続し、前記線状体の他端を前記フィルタ内から前記本体ハウジング内を通過させて後方外部に引き出し、前記線状体の他端の引っ張り操作により、前記付勢手段の付勢に抗して前記取付板を後退させて前記フィルタを任意に収縮動作可能としたことを特徴とするクリーナ。
【請求項２】
前記本体ハウジングに、電源となるバッテリーパックを着脱可能に装着して、前記バッテリーパックとの間に所定の隙間を設定し、前記線状体の他端を前記隙間内に引き出して、前記バッテリーパックを取り外した状態でのみ前記線状体の引っ張り操作を可能としたことを特徴とする請求項１に記載のクリーナ。
【発明の詳細な説明】
【技術分野】
【０００１】
本発明は、塵埃を吸引して貯留するクリーナに関する。
【背景技術】
【０００２】
従来のクリーナは、モータ駆動で回転する吸込ファンを備えた吸気ユニットを本体ハウジングに収容し、その本体ハウジングの前方に、吸込口を備えて内部に集塵室を形成する前側ハウジングを着脱可能に装着し、吸気ユニットの吸気口をフィルタで閉塞してなる。よって、吸気ユニットの作動によって吸込口から外気を吸い込み、フィルタを通過させて本体ハウジングに設けた排気口から排出することで、外気と共に吸い込んだ塵埃をフィルタで捕捉して前側ハウジング内の集塵室に貯留可能となる。
このようなクリーナにおいては、塵埃がフィルタの表面に付着して目詰まりすると吸引力が低下してモータへの負荷も大きくなることから、フィルタの塵落としが必要となる。この場合、フィルタをはたいたり、取り外して洗ったりすることになるが、何れにしても前側ハウジングを取り外して行う必要があり、面倒である上、塵埃を外に飛散させるおそれもある。
【０００３】
そこで、特許文献１には、フィルタを取り付けた枠に連通するベロー内に、ハウジングに設けた開口を開閉可能な弁体を、コイルバネによって閉弁方向へ付勢して設ける一方、弁体に連結して枠内に突出する連結杆の下端に振動板を設けた発明が開示されている。これによれば、フィルタが目詰まりしてフィルタ内が負圧となった際には、弁体がコイルバネの付勢に抗して下降して開口を開弁し、導入された外気によってフィルタ内の気圧が高まって再び弁体がコイルバネの付勢によって閉弁位置へ戻る動作を繰り返す。この弁体の開閉に伴って上下動する振動板がフィルタを内側から叩くことで、ハウジングを取り外すことなく塵落としが自動的に行えるようになっている。
【先行技術文献】
【特許文献】
【０００４】
【特許文献１】実公昭３９−２０６４９号公報
【発明の概要】
【発明が解決しようとする課題】
【０００５】
しかし、特許文献１のクリーナは、使用中（吸気ユニットの動作中）に弁体が動作してハウジングの開口を開放するため、開口を介して外部の塵埃がフィルタの内側に侵入して目詰まりや吸気ユニットの不具合を生じさせるおそれがある。また、フィルタの内側での圧力が一時的に上昇することで、吸引力も低下してしまう。
【０００６】
そこで、本発明は、前側ハウジングを取り外す必要がなく、塵落としに伴うフィルタの内側への塵埃の侵入や吸引力の低下を防止して好適な塵落としが可能となるクリーナを提供することを目的としたものである。
【課題を解決するための手段】
【０００７】
上記目的を達成するために、請求項１に記載の発明は、可撓性のフィルタ内に、フィルタを伸長姿勢に付勢する付勢手段を設ける一方、フィルタの前端に取付板を固着して当該取付板に線状体の一端を接続し、線状体の他端をフィルタ内から本体ハウジング内を通過させて後方外部に引き出し、線状体の他端の引っ張り操作により、付勢手段の付勢に抗して取付板を後退させてフィルタを任意に収縮動作可能としたことを特徴とするものである。
請求項２に記載の発明は、請求項１の構成において、本体ハウジングに、電源となるバッテリーパックを着脱可能に装着して、バッテリーパックとの間に所定の隙間を設定し、線状体の他端を隙間内に引き出して、バッテリーパックを取り外した状態でのみ線状体の引っ張り操作を可能としたことを特徴とするものである。
【発明の効果】
【０００８】
請求項１に記載の発明によれば、前側ハウジングを取り外さなくても線状体の操作で簡単に塵落としが行える。よって、塵落としの際に塵埃が外に溢れたり、フィルタの内側へ塵埃が侵入したりすることなく好適な塵落としが可能となる。
請求項２に記載の発明によれば、請求項１の効果に加えて、クリーナの使用中での塵落としが確実に防止され、クリーナの使用中での塵落としの実行による吸引力の低下といった事態が生じることがない。
【図面の簡単な説明】
【０００９】
【図１】クリーナの縦断面図である。
【図２】クリーナの縦断面図である（バッテリーパックを取り外した状態）。
【発明を実施するための形態】
【００１０】
以下、本発明の実施の形態を図面に基づいて説明する。
図１は、充電式クリーナ（以下単に「クリーナ」という。）の縦断面図で、クリーナ１は、吸気ユニット３が収容され、前面（図１の右側を前方とする。）にフィルタユニット４が突設される本体ハウジング２に、前端に筒状の吸込口６を備えて内部に集塵室７を形成したカプセル状の前側ハウジング５を装着してなる。
吸気ユニット３は、モータ８の出力軸９に固着した吸込ファン１０をカバー１１で覆い、カバー１１の中央部１２を本体ハウジング２の前面中央から前方に突設させて吸気口１３を形成したもので、本体ハウジング２の前面には、中央部１２を同軸で囲んで前方へ突出する内リング１４と、その内リング１４の外側を同軸で囲む外リング１５とが夫々突設されている。前側ハウジング５は、外リング１５に外嵌されて周知のバヨネット結合によって着脱可能となっている。
【００１１】
また、本体ハウジング２の後方上側には、ハンドル１６が形成されて、ハンドル１６に、モータ８を駆動させるスイッチ１７と、そのスイッチ１７をＯＮさせるスイッチレバー１８とが設けられている。さらに、本体ハウジング２の下側は、後方部が前方部よりも高くなる段差状に形成されて、その後方部に、図２に示すように、電源となるバッテリーパック１９の装着部２０が形成されている。この装着部２０は、バッテリーパック１９の上面を抱持する左右一対のガイドレール２１，２１と、そのガイドレール２１，２１間に位置する一対の端子金具２２，２２とを備えている。
【００１２】
すなわち、バッテリーパック１９を後方からガイドレール２１，２１間に嵌合させて前方へスライドさせると、バッテリーパック１９の上面後方で上向きに突出付勢されたフック２３が装着部２０に設けた係止凹部２４に係止してバッテリーパック１９が抜け止め装着されると共に、端子金具２２がバッテリーパック１９内に進入して電気的接続される構造となっている。このバッテリーパック１９の装着状態で、本体ハウジング２の下側でバッテリーパック１９の前方に位置する後壁部２５とバッテリーパック１９との間には、所定の隙間２６が形成される。
【００１３】
一方、フィルタユニット４は、円筒枠状のフレーム２７と、そのフレーム２７内に設けられて可撓性を有する円筒状のフィルタ２８と、そのフィルタ２８内に収容される付勢手段としてのコイルバネ２９とを備え、フィルタ２８の前端の開口には、円盤状の取付板３０が固着されている。この取付板３０は、常態ではコイルバネ２９の付勢により、フレーム２７の前端部３１に当接する前進位置に押圧されている。よって、フィルタ２８は、常態ではフレーム２７内で前方へ伸びる伸長姿勢となる。
フレーム２７は、後方の開口を本体ハウジング２の内リング１４に外嵌させて、後端外周に突設した突起３２を、外リング１５の内周に設けたストッパ３３に係止させることで、抜け止め状態で内リング１４に装着される。フィルタ２８は、フレーム２７の内側で後方の開口を内リング１４に外嵌させるもので、フレーム２７の外嵌に伴って内リング１４との間で後端が挟持固定されるようになっている。
【００１４】
そして、内リング１４には、放射状に配置される複数のステー３５，３５・・の基端を固着した支持リング３４が嵌着されて、ステー３５によって支持リング３４の前方中央にチューブホルダ３６が支持されている。このチューブホルダ３６には、軸心に線状体となるワイヤ３８を挿通した可撓性のチューブ３７の前端が保持されており、チューブ３７から引き出されるワイヤ３８の前端が、フィルタ２８の軸心を通って前方の取付板３０に連結されている。
【００１５】
また、チューブ３７は、ステー３５，３５の間を通って本体ハウジング２の前面を貫通し、吸気ユニット３と本体ハウジング２との間から本体ハウジング２内の後方へ引き回されて、後壁部２５の内側に後端が保持されている。ワイヤ３８の後端は、後壁部２５を貫通して後方へ引き出されて、本体ハウジング２の外部でツマミ３９と連結されている。このツマミ３９は、フィルタ２８が伸長姿勢となってワイヤ３８の前端が取付板３０と共に最前方に位置する際には、ワイヤ３８を介して後壁部２５に当接する位置まで引き込まれて、バッテリーパック１９と後壁部２５との間の隙間２６に位置するようになっている。よって、ツマミ３９は隙間２６に嵌合して下方への引き出しが行えない状態となる。
【００１６】
以上の如く構成されたクリーナ１においては、図１のように装着部２０にバッテリーパック１９を装着した状態でスイッチレバー１８を押し操作してモータ８を駆動させると、吸込ファン１０が回転し、前側ハウジング５の吸込口６から外気を吸い込んでフレーム２７及びフィルタ２８を通過させ、吸気口１３から吸気ユニット３内に取り込んで本体ハウジング２の側面に設けた図示しない排気口から排気する。この空気の流れにより、吸込口６から外気と共に吸い込まれた塵埃は、フィルタ２８に捕捉されてそのまま集塵室７内に貯留する。４０は、吸込口６の内側に設けられた弁で、集塵室７内に貯留した塵埃が吸込口６から溢れるのを防止している。
【００１７】
そして、塵埃の吸い込みを続けると、塵埃がフィルタ２８の表面に付着して目詰まりし、吸引力を低下させるおそれがあるため、塵落としの必要が生じる。この場合、図２に示すように、装着部２０からバッテリーパック１９を取り外すと、ツマミ３９が後壁部２５の後方に露出するため、そのままツマミ３９を把持して後方へ引っ張る。すると、フィルタユニット４では、ワイヤ３８が後方へ引っ張られて取付板３０がコイルバネ２９の付勢に抗して後退し、フィルタ２８を軸方向に収縮させる。ここでツマミ３９から手を離すと、コイルバネ２９の付勢によって取付板３０が、再びフレーム２７の前端部３１に当接する前進位置へ復帰し、この取付板３０の移動に伴ってフィルタ２８も伸長姿勢に復帰する。こうしてツマミ３９を引っ張って離す動作を繰り返すことで、フィルタ２８には収縮から伸長に伴う衝撃（はたき作用）が加わるため、表面に付着していた塵埃が払い落とされる。
【００１８】
このように、上記形態のクリーナ１によれば、フィルタ２８内に、フィルタ２８を伸長姿勢に付勢するコイルバネ２９を設ける一方、フィルタ２８の前端に取付板３０を固着して当該取付板３０にワイヤ３８の一端を接続し、ワイヤ３８の他端をフィルタ２８内から本体ハウジング２内を通過させて後方外部に引き出し、ワイヤ３８の他端の引っ張り操作により、コイルバネ２９の付勢に抗して取付板３０を後退させてフィルタ２８を任意に収縮動作可能としたことで、前側ハウジング５を取り外さなくてもワイヤ３８の操作で簡単に塵落としが行える。よって、塵落としの際に塵埃が外に溢れたり、フィルタ２８の内側へ塵埃が侵入したりすることなく好適な塵落としが可能となる。
【００１９】
特にここでは、本体ハウジング２に、バッテリーパック１９を着脱可能に装着して、バッテリーパック１９との間に所定の隙間２６を設定し、ワイヤ３８の後端を隙間２６内に引き出して、バッテリーパック１９を取り外した状態でのみワイヤ３８の引っ張り操作を可能としているので、クリーナ１の使用中での塵落としが確実に防止され、クリーナ１の使用中での塵落としの実行による吸引力の低下といった事態が生じることがない。
【００２０】
なお、フィルタユニットは上記形態に限らず、例えばフレームをなくしてフィルタとコイルバネのみを設けたり、フレームに代えて目の粗いプレフィルタを設けたり等、適宜変更可能である。
また、線状体の引き回しも、ステーの長さやチューブホルダの形態を変えることで前端の支持位置を前後に変更したりしてもよいし、線状体としては紐状体やチェーン等も使用できる。さらに、必ずしもバッテリーパックを取り外さないと塵落としできない構成とする必要はなく、線状体の後端をハンドル側に引き出したりすることは可能である。勿論本発明は充電式のクリーナに限らず、交流式クリーナであっても適用可能である。
【符号の説明】
【００２１】
１・・充電式クリーナ、２・・本体ハウジング、３・・吸気ユニット、４・・フィルタユニット、５・・前側ハウジング、６・・吸込口、７・・集塵室、８・・モータ、１０・・吸込ファン、１３・・吸気口、１９・・バッテリーパック、２０・・装着部、２５・・後壁部、２６・・隙間、２７・・フレーム、２８・・フィルタ、２９・・コイルバネ、３０・・取付板、３６・・チューブホルダ、３７・・チューブ、３８・・ワイヤ、３９・・ツマミ。
【図１】
2010259666.tif 000003
【図２】
2010259666.tif 000004